(57)【要約】      （修正有）【課題】万華鏡オブジェクトケースの中でパーツが重なったり、詰まったりしないようなオブジェクトの構成と映像を限定的に重ねることにより複雑で美しい映像を映し出すことができる万華鏡のオブジェクトの実現を可能とする。【解決手段】パーツ同士が重ならないようにパーツの厚みがオブジェクトケースの厚み（内寸）以下でオブジェクトケース内寸の厚みの１／２以上でありかつパーツが反転しないようにパーツの幅がケース内寸の厚みより大きいパーツを使用することによりオブジェクトケース内でパーツが重ならずかつ詰まらないオブジェクトを実現する。また、１／２以下のパーツを封入するためにオブジェクトケース内寸の厚みの１／２以上であり反転しないよう厚みより大きいカプセル内に小さいパーツを入れる。単調な映像にならないようにはダブルチャンバーを設けて透明円盤に模様や色を描いて入れることで多様な画像の変化が得られる。【選択図】図６
2008176251.tif 000002
【特許請求の範囲】
【請求項１】
万華鏡のオブジェクトにおいて、オブジェクトケースに内蔵するオブジェクトパーツ（以下パーツ）同士が重ならないようにパーツの厚みがオブジェクトケースの厚み（内寸）以下でオブジェクトケースの厚み（内寸）の１／２以上でありかつパーツが内部で反転しないようにパーツの対角線の幅がケースの厚み（内寸）より大きい物のみを内蔵することを特徴とする万華鏡のオブジェクト。
【請求項２】
請求項１の万華鏡オブジェクトにおいて、オブジェクトケースの１／２以下の小さいパーツを入れる場合、請求項１の条件を満たしたオブジェクトカプセル枠（以下カプセル）の中に小さいパーツを配置して、そのカプセルをオブジェクトケース内に１個以上内蔵することを特徴とする万華鏡のオブジェクト。
【請求項３】
請求項２の万華鏡のオブジェクトにおいて、カプセル内に配置する小さいパーツは自由に動く方式でもよいが透過性のよい樹脂でカプセル内に充填などにより分散させた状態で固定したカプセルをオブジェクトケース内に一個以上内蔵することを特徴とする万華鏡のオブジェクト。
【請求項４】
万華鏡のオブジェクトにおいて、オブジェクトケースを構成するパーツを筒に入れて両側から挟みこむ透明板に透明度の高いカラーフィルターや模様などを描いた板を使いパーツと背景模様の変化の組み合わせを可能とした透明色の模様板と請求項１〜３の重ならないパーツに限定した万華鏡のオブジェクト。
【請求項５】
万華鏡のオブジェクトにおいて、オブジェクトケースの手前の透明板または背面の透明板に光を通さない材料で作られた模様を描くことにより、あたかも影絵のように映し出し、請求項１〜３の重ならないパーツと背景模様の変化の組み合わせを可能とした万華鏡のオブジェクト。
【請求項６】
万華鏡のオブジェクトにおいて、オブジェクトケースの光軸方向に２個以上のチャンバーを設けその一つには請求項１〜３の条件を満たすパーツを収納し、他のチャンバーには透過度の高いカラーフィルターや模様などを描いた板を収納して透明板はチャンバー内を自由に回転・移動し、パーツと背景模様の変化の組み合わせ変化を可能とした万華鏡のオブジェクト。
【請求項７】
請求項６の複数のチャンバーをもつ万華鏡において、その一つには請求項１〜３の条件を満たすパーツを収納し、他のチャンバーには光を通さない材料で作られた模様を描いた透明板を収納しその板はチャンバー内を自由に回転・移動し、あたかも影絵のように映し出し、パーツと影絵のような背景模様との組み合わせを可能とした万華鏡のオブジェクト。
【請求項８】
請求項６，７の透明板回転チャンバー内の内周に突起物を固定するか回転盤を多角形または回転板に突起物をつけ、チャンバーが回転するにつれて模様を書いた透明板がその突起物または角が底部を通過するとき透明板の模様の中心軸と回転速度がずれることで万華鏡の映像が変化することを特徴とする万華鏡のオブジェクト。
【請求項９】
万華鏡のオブジェクトにおいて、オブジェクトケースひとつまたは複数のチャンバーに複数の円周の異なる模様回転板を封入しオブジェクトの回転により、それぞれ回転板の回転角が異なるため透過模様の組み合わせが多様化し映像が複雑に変化することを特徴とする万華鏡のオブジェクト。
【請求項１０】
請求項６、７に記載の２個以上のチャンバーを有するオブジェクトケースのひとつのチャンバーに請求項２、３の条件を満たすパーツを収納する。カプセル内は小さいパーツを入れないか少なくして透過空間を広く設け、その透過空間がミラーに取り込まれると他のチャンバーに収納された透明板に描かれた背景模様や色の変化のみが現れることを特徴とする万華鏡のオブジェクト。
【発明の詳細な説明】
【技術分野】
【０００１】万華鏡の映像を美しく見せるためにはミラーシステムとガラスやプラスチック、金属などでできたオブジェクトが重要な要素であり、特にオブジェクトはパーツの色や形の組み合わせで多様に変化するため最も大切な要素である。
【背景技術】
【０００２】万華鏡のオブジェクトはパーツの色や形の組み合わせで多様に変化する。しかし、オブジェクトケースの中でパーツが重なってパーツの色や形が損われたり、パーツがオブジェクトケースの中で詰まって動かなくなり、映像の変化がなくなり万華鏡の機能が著しく失われてしまうことが多くある。
またパーツを使わないオブジェクトではたとえば模様を描いた回転円盤のみの万華鏡オブジェクトはあるが、同じ模様の繰り返しとなり単調な万華鏡となってしまう欠点があった。
【発明の開示】
【発明が解決しようとする課題】
【０００３】万華鏡のオブジェクトはパーツの色や形の組み合わせで多様に変化する。しかし、小さいパーツがあるとオブジェクトケースの中でパーツが幾重にも重なってパーツの色や形が損われたり、パーツがオブジェクトケースの中で詰まって動かなくなり、万華鏡の機能が著しく失われてしまう。特に、投影式万華鏡においてはオブジェクトケース内で複数のパーツが重なると透過光量が著しく減衰して映像が暗くなり万華鏡の機能をなくしてしまう恐れがある。全く重ならないオブジェクトでかつオブジェクトケースの回転などで中のパーツが移動することによって、映像が大きく変化しかつ美しく映し出すオブジェクトは万華鏡の構成上、不可欠な要素である。しかし、まったく重ならないオブジェクトでできた映像は単純な変化の繰り返しになり易く見る人が飽きてしまう恐れもある。本発明は万華鏡オブジェクトケースの中でパーツが重なったり、詰まったりしないようなオブジェクトの構成と映像を意図的に重ねることにより複雑で美しい映像を映し出すことができる万華鏡のオブジェクトを可能とした。
【課題を解決するための手段】
【０００４】万華鏡におけるオブジェクトは映像を美しく見せるためには最も重要な要素である。特に投影式万華鏡においてはオブジェクトケース内でのパーツが複数重なると色が混ざりグレーや濁色となり透過光量が著しく減衰して投影される映像が暗くなり万華鏡の機能をなくしてしまう恐れがある。パーツ同士が重ならないようにパーツの厚みがオブジェクトケースの厚み（内寸）以下でオブジェクトケース内寸の厚みの１／２以上でありかつパーツが反転しないようにパーツの対角線の幅がケース内寸の厚みより大きいパーツを使用することによりオブジェクトケース内でパーツが重ならずかつ詰まらないオブジェクトを実現することができる。万華鏡オブジェクトはオブジェクトケースにパーツのみが封入されているドライタイプとパーツとグリセリンなどの液体を封入したオイルタイプがあるがどちらのタイプにも適応できる。以下に詳述するオブジェクトについても同様である。【０００５】〔０００４〕に述べた万華鏡オブジェクトのおいて、大きさの同じパーツで統一されたオブジェクトの映像は単調になりやすいので、見ている人が飽きる恐れもある。映像を繊細にするためには小さいパーツを封入することも必要とされる。このためオブジェクトケースの厚み内寸の１／２以下の小さいパーツを入れる場合、上記の条件を満たしたオブジェクトカプセル枠の中に小さいパーツを配置して、小さいパーツがカプセルの中にいつも入っているように構成し、そのカプセルをオブジェクトケース内に内蔵することにより実現することができる。カプセルの構造も円筒状だけではなく、三角形や多角形、ハート型、星型などの外形を持ったもの、かつきれいな色のついたものにするとカプセルの外形もパーツの一部として鏡に反射して映像として映し出される。【０００６】〔０００５〕に述べた万華鏡のオブジェクトにおいて、カプセル内に配置する小さいパーツは自由に動く方式でもよいが透過性のよい樹脂で接着または充填してカプセル内に固定することにより、まったく重ならないオブジェクトを可能とした万華鏡のオブジェクトを作成することもできる。特にカプセルの隙間から出てしまうような小さなパーツまたは厚みに薄いパーツなどには有効となる。オブジェクトケースの回転と共にカプセル自体も回転・移動するので映像も重ならずに大きく変化する。【０００７】万華鏡のオブジェクトにおいて、全く重ならないオブジェクトは形状や色を変化させて映像の変化を楽しむことができるが、単調に陥りやすい。これを改善するためにオブジェクトケースの手前または背面に透明度の高いカラー色で模様などを描いた背景模様の透明板を付けパーツと背景模様の変化の組み合わせを可能としながらお互いに重なったときに打ち消さない色づかいに限定したオブジェクトに構成することによりさらに組み合わせを多様化することができる。【０００８】万華鏡のオブジェクトにおいて、オブジェクトケースの手前の透明板または背面の透明板に光を通さない材料で作られた模様を描くことにより、あたかも影絵のように映し出し、パーツと背景模様の変化の組み合わせによりさらに組み合わせを多様化することができる。不透明模様やカラー模様に雪や星空、花、花びらなどを描いたものを使うと春夏秋冬など物語性をもったオブジェクトも作成可能となる。【０００９】万華鏡のオブジェクトにおいて、光軸方向に２個以上のチャンバーを設けその一つにはパーツが重ならないオブジェクトを収納し、他のチャンバーには透過度の高いカラーフィルターや模様などを描いた板を収納して、透明模様板はチャンバー内を自由に回転・移動できるようにオブジェクトケースの内寸より小さくしておきパーツと背景模様の変化の組み合わせ変化も可能とするオブジェクトも美しい映像が見られる。【００１０】複数のチャンバーをもつ万華鏡オブジェクトにおいて、その一つにはパーツが重ならないオブジェクトを収納し、他のチャンバーには光を通さない材料で作られた模様を描いた透明板を収納しその板はチャンバー内を自由に回転・移動できるようにオブジェクトの内寸より小さくしておく、あたかも影絵のように映し出し、オブジェクトパーツと影絵のような背景模様と組み合わせの映像が見られる。回転透明板は１枚に限らず複数枚で構成することも可能である。その組み合わせも影絵の背景模様と〔０００９〕で述べたカラーで描かれた回転透明板の組み合わせでより複雑で美しい映像も可能となる。更に回転透明板の大きさを変えておくとオブジェクトの回転に伴いチャンバー内の回転透明板がチャンバーの内周に添って回転するが円周が小さい回転透明板はオブジェクトの一回転に対して一回転以上の回転をする。例えば２枚の大小回転透明板はオブジェクトを一回転すると回転角度はそれぞれ異なり組み合わせ模様は変化する。【００１１】上記複数のチャンバーを持つ万華鏡オブジェクトにおいてチャンバー内の内周に突起物を固定することによってチャンバーが回転するにつれて模様を書いた透明板がその突起物を乗り越えるときに板の中心位置が突起物によって透明版の模様が中心軸と回転速度がずれることにより万華鏡の映像の組み合わせが更に多様化する。【００１２】チャンバー内側の内周に突起物を設ける代りに模様を書いた透明板を多角形または突起物を設けてチャンバーの回転にしたがって、その多角形または突起物が回転して下側にきたときに中心軸と回転速度がずれ映像が大きく変化する。
【発明の効果】
【００１３】従来の万華鏡は図１にあるようにアイホールから覗いてミラーの先にあるオブジェクト内のパーツの反射光と透過光の変化をミラーに反射させて美しい映像を楽しむものがほとんどであった。しかし、オブジェクト内部のパーツが重なったり、パーツがオブジェクトケースの一部に重なって詰まったりして変化のある映像をいつも楽しむことが多々あった。投影式万華鏡においてはオブジェクト内のパーツの透過光のみをスクリーンに映すためパーツが重なると透過光が大きく減衰し、このためスクリーン上では暗くなり美しい映像を楽しむことができなかった。このため投影式万華鏡は限定された利用しかされなかった。本発明によりいつも美しい変化のある映像を映し出すことが可能となったため小型でありながら、複数の人が同時に同じ映像を楽しむことができるようになり更なる発展が可能になった。
ここで用いられる各部品を提供することによりそれぞれ自分の好みの万華鏡オブジェクトを容易に作って楽しむことが可能になった。
【発明を実施するための最良の形態】
【００１４】本発明の実施の形態を図面により詳述する。
図１は一般的な万華鏡の断面図である。外筒１１の中に納められた中空鏡面筒体１２と一方にアイホール１３を設けるとともに、他方の端部のオブジェクトケース１４に彩色ガラス片や彩色プラスチック片などのオブジェクトパーツ１５を内蔵しオブジェクトケースを回転させることにより内部のパーツを回転、移動させその変化を鏡面に写して現出する各種色模様をアイホールから見て楽しむ構成になっている。【００１５】図２は投影式万華鏡の代表的な断面図である。
光源２５からの光がオブジェクト２４を通過して中空鏡面筐体２２に入り鏡で反射した光がレンズ２３で集光されてスクリーン２９に投影されて万華鏡映像を映し出す。オブジェクトはモーターの回転がギアなどの伝達機構により回転する。
オブジェクトが回転するとオブジェクトの中のパーツも位置が移動して中空鏡面筺体に入る透過光の色や形が変化してその万華鏡映像の変化がスクリーンに投影される。【００１６】図３はオブジェクトケースの構成例である。円筒３３の内部にパーツを入れてその両側から透明板３１，３２で挟み込んで封じたものである。【００１７】図４はパーツが重ならない最良のオブジェクトを図示したもので、４−１は側面図、４−２はその正面図である。
パーツ同士が重ならないようにパーツ４１，４３の厚みがオブジェクトケース４２の厚み（内寸）以下でオブジェクトケース内寸の厚みの１／２以上でありかつパーツが反転しないようにパーツの幅がケース内寸の厚みより大きいパーツを使用することによりオブジェクトケース内でパーツが重ならずかつ詰まらないオブジェクトを実現することができる。
【実施例】
【００１８】図５は請求項２のオブジェクトケースの厚み（内寸）の１／２より小さいパーツを封入したいときに解決する手段で、請求項１の条件を満たしたたとえば透明円筒管を輪切りにしたオブジェクトカプセルの中に小さいパーツを配置して、そのカプセルをオブジェクトケース内に封入した。５−１はそのオブジェクトの側面図、５−２は正面図である。カプセルは必ずしも円筒形である必要はなく三角形や他の多角形でも可能である。またカプセル自体に着色すると映し出される映像は更に多様化する。【００１９】図４、図５のように全く重ならないパーツを封入したオブジェクトは透過光の減衰は少ないがそれを映し出す映像は単調に陥りやすい。図６はこれを解決するため色の重なりを限定してコントロールする方法を示したものである。６−１はその断面図、６−２は正面図である。６−１に示すように光の光軸方向に２個以上のチャンバー６４，６５を設けその一つには請求項１〜３の条件を満たすパーツ６２を収納し、他のチャンバーには透過度の高いカラーフィルターや模様などを描いた板６４を収納して板はチャンバー内を自由に回転・移動し、パーツと背景模様の変化の組み合わせ変化や、カプセル６６の小さいパーツが入ってない部分すなわち空間部がミラーの視野に入ると透過度の高いカラーフィルターや模様などを描いた板６４のみの映像が映し出されさらに多様な映像を映し出すことが可能となった。【００２０】図６の複数のチャンバーをもつ万華鏡において、その一つには請求項１〜３の条件を満たすパーツ６２を収納し、他のチャンバーには光を通さない材料で作られた模様を描いた透明板６４を収納しその板はチャンバー内を自由に回転・移動し、あたかも影絵のように映し出し、パーツと影絵のような背景模様との組み合わせを変化により多様な映像を映し出すことが可能となった。【００２１】図６の複数のチャンバーをもつ万華鏡において、その一つには透過度の高いカラーフィルターや模様などを描いた板６４を収納し、他のチャンバーには光を通さない材料で作られた模様を描いた透明板を収納しても影絵のような背景模様との組み合わせを変化により多様な映像を映し出すことも可能である。
【産業上の利用可能性】
【００２２】従来のアイホールから覗いて楽しむ万華鏡でも従来にないオブジェクトで美しい映像を楽しめる万華鏡の製作が可能となった。また、投影式万華鏡においては本発明のオブジェクトにより透過光量が多く変化の多い映像が可能となり、多くの人が同時に楽しめる万華鏡の新しい発展が可能となった。
【図面の簡単な説明】
【００２３】
【図１】  従来の万華鏡の断面図
【図２】  投影式万華鏡の断面図
【図３】  オブジェクトケースの構成図
【図４】  １個のチャンバーオブジェクトの構成図で４−１が側面図、４−２が正面図
【図５】  カプセルオブジェクトパーツの入ったオブジェクトの構成図で５−１が側面図、５−２が正面図
【図６】  ２個のチャンバーオブジェクトの構成図で６−１が側面図、６−２が正面図
【図７】  ２個のチャンバーオブジェクトの構成図、チャンバーの内側に突起のあるもので７−１が側面図、７−２が正面図
【符号の説明】
【００２４】１１  外筒
１２  中空鏡面筐体
１３  アイホール
１４  オブジェクト
２１  外筒
２２  ミラー
２３  レンズ
２４  オブジェクト
２５  光源
２６  電源
２７  モーター
２８  伝達機構
２９  スクリーン
３０  オブジェクトパーツ
３１  透明円盤
３２  透明円盤
３３  円筒
３４  パーツ
４１  オブジェクトパーツ
４２、４４  オブジェクトケース
４３  オブジェクトパーツ
５１  オブジェクトケース
５２  オブジェクトパーツ
５３  オブジェクトカプセル
６１  ダブルチャンバーオブジェクトケース
６２  オブジェクトパーツ
６３  背景用回転円盤
６４、６５  チャンバー
６６  カプセル
７１  ダブルチャンバーオブジェクトケース
７２  オブジェクトパーツ
７３  背景用回転円盤
７４  回転円盤変化用突起物
【図１】
2008176251.tif 000003
【図２】
2008176251.tif 000004
【図３】
2008176251.tif 000005
【図４】
2008176251.tif 000006
【図５】
2008176251.tif 000007
【図６】
2008176251.tif 000008
【図７】
2008176251.tif 000009